(57)【特許請求の範囲】
【請求項１】
通話における音声信号を音声として出力するスピーカと、
利用者の音声を音声信号に変換するマイクと、
前記利用者による補聴器選択操作に応じて、複数の補聴器のうちから、前記通話における音声信号の送信先補聴器として、任意の補聴器を選択する補聴器選択手段と、
前記補聴器選択操作に応じて選択された送信先補聴器に対して前記通話における音声信号の無線送信を開始し、前記複数の補聴器のうち前記送信先補聴器以外の補聴器に対する前記音声信号の無線送信を停止する送信手段と
を備えることを特徴とする電話装置。
【請求項２】
請求項１に記載の電話装置において、
前記送信手段は、前記補聴器選択操作に応じて送信先補聴器が選択された際、当該送信先補聴器に対して前記音声信号を無線送信している場合には、当該送信先補聴器に対する前記音声信号の無線送信を停止することを特徴とする電話装置。
【発明の詳細な説明】
【技術分野】
【０００１】
本発明は、電話装置に関し、特に利用者の利用状態に応じて受信機に音声信号を送信する電話装置に関する。
【背景技術】
【０００２】
従来より、高齢者や聴覚不自由者など難聴者に対して、移動電話機にアダプタを取付けることで、移動電話の音声を拡大して聞くことができるような補聴器がある。しかしながら、移動電話を使用する場合にはアダプタを取付けなければならず、面倒である。また、そのアダプタを持ち歩かなければならず、使い勝手が悪い。このような問題点を解決するため、無線回線を介して音声を受信する無線部を補聴器に内蔵し、この補聴器に通話における音声信号を送信する発明が開示されている（特許文献１）。
【０００３】
【特許文献１】特開２００３−１２５４９６号公報
【発明の開示】
【発明が解決しようとする課題】
【０００４】
しかしながら、この発明では、電話装置と対応する無線通信規格の無線部を内蔵する補聴器に音声を送信するので、同じ無線通信規格の無線部を内蔵する補聴器を利用する全ての人に音声が聞こえてしまう。その結果、補聴器利用者は、他人の通話における音声が聞こえてくるので、違和感を感じることとなる。
【０００５】
そこで本発明は、利用者による設定に応じて特定の補聴器のみに音声を送信する電話装置を提供することを目的とする。
【課題を解決するための手段】
【０００６】
本発明にかかる電話装置は、通通話における音声信号を音声として出力するスピーカと、利用者の音声を音声信号に変換するマイクと、前記利用者による補聴器選択操作に応じて、複数の補聴器のうちから、前記通話における音声信号の送信先補聴器として、任意の補聴器を選択する補聴器選択手段と、前記補聴器選択操作に応じて選択された送信先補聴器に対して前記通話における音声信号の無線送信を開始し、前記複数の補聴器のうち前記送信先補聴器以外の補聴器に対する前記音声信号の無線送信を停止する送信手段とを備えている。
この際、前記送信手段で、前記補聴器選択操作に応じて送信先補聴器が選択された際、当該送信先補聴器に対して前記音声信号を無線送信している場合には、当該送信先補聴器に対する前記音声信号の無線送信を停止するようにしてもよい。
【発明の効果】
【０００７】
本発明によれば、補聴器選択操作に応じて選択された送信先補聴器に対して通話音声の無線送信が開始され、送信先補聴器以外の補聴器に対する通話音声の無線送信が停止されるので、送信先補聴器以外の補聴器を利用する補聴器利用者は違和感を感じることはない。
【発明を実施するための最良の形態】
【０００８】
以下、図面を参照しながら本発明の実施の形態について説明する。
図１は、本発明の実施の形態にかかる電話装置の構成を示すブロック図である。
図１に示すように、電話装置１は、電話網４００に電話回線５００を介して接続された電話器本体１００と、この電話器本体１００とカールコード６００を介して接続された接続された受話器２００とで構成されている。
この電話装置１は、補聴器３００Ａおよび３００Ｂと無線回線７００を介して接続することができる。
ここでは、補聴器３００Ａは利用者Ａに、補聴器３００Ｂは利用者Ｂにそれぞれ装着されているものとする。
なお、図１では、説明の便宜上、電話装置１と接続される補聴器として２台の補聴器３００Ａおよび３００Ｂを図示しているが、本発明においては、電話装置１に、複数の補聴器が接続できればよく、その数は本実施の形態のように２台に限定されるものでない。また、図１では、説明の便宜上、補聴器の構成例として、補聴器３００Ａのみを示し、補聴器３００Ｂについては、（デザイン）外形上の差異があるのみで、基本的な内部構造は補聴器３００Ａと同様であるので、その具体的構成についての説明を適宜省略する。
【０００９】
まず、電話機本体１００の構成は次のようなものである。
電話機本体１００は、電話回線５００を介して電話網４００に接続するインターフェースである電話網Ｉ／Ｆ（ＩｎｔｅｒＦａｃｅ  以下、「インターフェース」という。）１１０と、例えばダイヤルキーやオフフックボタン等、補聴器利用者が電話操作を行う入力手段である電話操作部１２０と、例えばディスプレイや点滅可能なボタン等、通話の状態を補聴器利用者に通知する表示手段である表示部１３０と、例えばＡＣアダプタや電池等、電話機本体１００に電気を供給する電源部１４０と、カールコード６００を介して受話器２００と接続するインターフェースである受話器Ｉ／Ｆ１５０と、無線回線７００を介して補聴器３００Ｂ、３００Ａと接続するインターフェースである無線Ｉ／Ｆ１６０と、複数の補聴器のうち任意のものを選択するための補聴器選択ボタン１７０と、電話機本体１００の各種動作を実現するプログラムや各種データが記憶されたメモリである記憶部１８０と、電話機本体１００を制御する制御部１９０とを備えている。
【００１０】
上述した無線Ｉ／Ｆ１６０は、無線回線７００を介して補聴器３００Ｂまたは３００Ａと接続するインターフェースである。この無線回線７００は、例えばブルートゥース（登録商標：Ｂｌｕｅｔｏｏｔｈ）や無線ＬＡＮ等、特定した対象との接続（ユニキャスト）が可能な伝送路である。
なお、説明の便宜上、無線回線７００のうち、補聴器３００Ａとの無線伝送路として確立されたリンクをリンク７００ａ、補聴器３００Ｂとのリンクをリンク７００ｂとする。
【００１１】
補聴器選択ボタン１７０は、本発明における受信機選択手段として機能し、本実施の形態においては、Ａボタン１７１とＢボタン１７２を有するものとする。利用者は、この補聴器選択ボタン１７０を操作することで任意の補聴器を選択することができる。この選択手順については、後述する〔１  補聴器選択動作手順〕にて説明する。
【００１２】
記憶部１８０は、補聴器選択ボタン１７０に備えられたボタンごとに補聴器の識別子を対応付けた切替テーブル１８１を備えている。
図２は、切替テーブルが記憶するデータのデータ構造の一例を示す図である。
図２が示すように、補聴器選択ボタン１７０のＡボタン１７１には補聴器３００Ａ（キーコード：３００Ａ）が、Ｂボタン１７２には補聴器３００Ｂ（キーコード：３００Ｂ）がそれぞれ対応付けられている。ここでいうキーコードは、補聴器の識別子である。
なお、本実施の形態では、補聴器選択ボタン１７０と補聴器との対応付けは、予め設定されているものとするが、例えば、電話操作入力部１２０を介して、電話機本体１００を登録モードにし、対応付けたい補聴器選択ボタン１７０を押下後、キーコード等を入力する等、利用者により任意に設定できるようにしてもよい。
【００１３】
制御部１９０は、図示はしないが、ＣＰＵと主記憶装置を備え、この主記憶装置又は記憶部１８０に記憶されたプログラムを読み込んで実行することにより、プログラムと上記ハードウェアとが協働して、電話装置としての各種機能を実現する。具体的には、電話操作部１２０による利用者の電話操作に基づいて電話網Ｉ／Ｆ１１０を用いて呼制御を行う呼制御機能や、受話器Ｉ／Ｆ１５０を用いて音声信号を送受信する通話機能を実現する他、補聴器３００Ａ、３００Ｂに対する音声信号の送信を制御する送信制御部１９１としても機能する。
送信制御部１９１は、本発明における送信手段に相当し、補聴器選択ボタン１７０によって選択された補聴器に対してのみ、通話における音声信号を送信する機能部である。
【００１４】
次に、受話器２００の構成について説明する。
受話器２００は、利用者の音声を音声信号に変換する入力手段であるマイク２１０と、入力された音声信号を音声として出力する出力手段であるスピーカ２２０と、カールコード６００を介して電話機本体１００と接続するインターフェースである受話器Ｉ／Ｆ２３０と、本発明における受信機選択手段に相当する補聴器選択ボタン２４０と、受話器２００を制御する制御部２５０とを備えている。
【００１５】
上述した補聴器選択ボタン２４０は、上述した補聴器選択ボタン１７０と同様に、Ａボタン２４１とＢボタン２４２とを有する。利用者は、この補聴器選択ボタン２４０を操作することでも任意の補聴器を選択することができる。
【００１６】
また、制御部２５０は、図示はしないが、ＣＰＵと主記憶装置を備え、この主装置記憶装置に記憶されたのプログラムを読み込んで実行することにより、プログラムと上記ハードウェアとが協働して、各種機能を実現する。本実施の形態においては、利用者による補聴器選択ボタン２４０の選択操作を検出し、カールコード６００を介してその検出結果を送信制御部１９１に入力する検出結果入力手段として機能する。
【００１７】
次に、補聴器３００Ａの構成について説明する。
なお、補聴器３００Ｂの構成については、（デザイン）外形上の差異があるのみで、基本的な内部構造は補聴器３００Ａと同様であるので、その具体的構成についての説明を適宜省略する。
【００１８】
補聴器３００Ａは、無線回線７００を介して受話器２００と接続するインターフェースである無線Ｉ／Ｆ３１０と、受信した音声信号を増幅する機器である増幅器３２０と、増幅器３２０で増幅された音声信号を音声として出力する出力手段であるスピーカ３３０とを備えている。
また、補聴器３００Ａは、図示はしないが例えば電池等の電源部を有し、この電源部から電気が供給されることで動作する。
また、補聴器３００Ａは、無線Ｉ／Ｆ３１０を介して音声データを受信すると、この音声データを音声信号に変換し、この音声信号を増幅器３２０に送信する。増幅器３２０は、送信された音声信号を所定の音量まで増幅し、増幅した音声信号をスピーカ３３０に送信する。スピーカ３３０は、送信された音声信号を音声として出力する。
【００１９】
次に、本実施の形態にかかる電話装置１の動作について説明する。
【００２０】
〔１  補聴器選択動作手順〕
補聴器利用者は、電話機本体１００に設けられた補聴器選択ボタン１７０または受話器２００に設けられた補聴器選択ボタン２４０を操作することによって、無線回線を介する音声信号の送信先となる補聴器を選択することができる。
図３は、補聴器選択動作手順を示すフローチャートである。
利用者が補聴器選択ボタン１７０のいずれかを操作した場合、送信制御部１９１は、どのボタンが操作されたか検出する（Ｓ１２１）。
また、利用者が補聴器選択ボタン２４０のいずれかを操作した場合、制御部２５０は、どのボタンが操作されたか検出し、その検出結果を送信制御部１９１に通知する（Ｓ１２２）。
【００２１】
Ｓ１２１またはＳ１２２により、送信制御部１９１は、利用者によって操作された補聴器選択ボタンを特定すると、切替テーブル１８１を参照し（Ｓ１２３）、音声信号の送信先と補聴器のキーコードを取得する（Ｓ１２４）。
例えば、図２に示す切替テーブル１８１によれば、検出結果がＡボタンの場合、送信制御部１９１は、キーコード“３００Ａ”を送信先と決定する（Ｓ１２４）。
以上の動作手順により、送信制御部１９１は、送信先を特定することができる。
【００２２】
Ｓ１２４で特定された補聴器に対して現在音声信号を送信している場合（Ｓ１２５：ＹＥＳ）、送信制御部１９１は、特定された補聴器への送信を停止する（Ｓ１２６）。
一方、特定された補聴器に対して現在音声信号を送信していない場合（Ｓ１２５：ＮＯ）、送信制御部１９１の動作は、他の補聴器に音声信号を送信しているか否かにより、さらに分かれる。
他の補聴器に音声信号を送信している場合（Ｓ１２７：ＹＥＳ）、この他の補聴器への送信を停止し（Ｓ１２８）、特定された補聴器に音声信号を送信する（Ｓ１２９）。
一方、他の補聴器に音声信号を送信していない場合（Ｓ１２７：ＮＯ）も、特定された補聴器に音声信号を送信する（Ｓ１２９）。
以上の動作手順により、送信制御部１９１は、特定された補聴器に対して音声信号を送信する。
【００２３】
〔２  電話装置の動作手順〕
次に、本実施の形態にかかる電話装置１の使用方法の一例を着信動作を例に説明する。
図４は、本実施の形態における電話装置の着信動作手順を示すシーケンス図である。
ここでは、図２に示す切替テーブル１８１における電話装置の着信動作手順を示す。
電話機本体１００において、電話網４００から電話回線５００を介して着信通知が入力される（Ｓ１００）と、制御部１９０は、補聴器利用者に着信を知らせる着信表示を表示部１３０に表示させる（Ｓ１１０）とともに、電話機本体１００が備えるスピーカ（図１に図示せず）を用いて着信鳴動させる。
【００２４】
このとき、送信制御部１９１は、利用者による補聴器選択ボタン１７０または２４０の操作によりＢボタン１７２または２４２を検出すると、上述した補聴器選択動作手順にしたがって、補聴器３００Ｂ（キーコード：３００Ｂ）を特定する（１２０）。
その後、利用者により受話器２００を用いてオフフックされる（Ｓ１３０）と、制御部１９０は、電話操作入力部１２０によりこのオフフックを検出し、着信表示を終了させる（Ｓ１４０）とともに、着信鳴動を停止させる。そして、制御部１９０は、音声信号を補聴器３００Ｂに送信することを知らせる３００Ｂ送信表示を表示部１３０に表示させる（Ｓ１５０）。
さらに、制御部１９０は、電話回線５００を介して電話網４００に応答通知を行う（Ｓ１６０）。電話網４００にこの応答通知が通知されると、電話網４００と電話機本体１００の間に通話路が確立され、電話装置１は通話の状態となる。
【００２５】
送信制御部１９１は、信号が正しく届いて返答が行われるかを確認するための相手サーチ信号を無線回線７００を介して送信する（Ｓ１７０）。
相手サーチ信号を受信した補聴器３００Ａ、３００Ｂは、自身の識別子であるキーコードを無線回線７００を介して電話機本体１００に送信（Ｓ１８０、Ｓ１９０）し、音声信号の受信が可能であることを送信制御部１９１に通知する。
【００２６】
電話機本体１００の送信制御部１９１は、受信したキーコードのうち、特定された右耳に対応するキーコード（３００Ｂ）と同じキーコードがある場合、そのキーコードを送信した補聴器３００Ｂとリンク７００ｂを確立する（Ｓ２００）。
そして、送信制御部１９１は、無線回線Ｉ/Ｆ１６０を制御することにより、通話における音声信号を送信可能な音声データに変換し、リンク７００ｂを介してこの音声データを補聴器３００Ｂに送信する（Ｓ２１０）。この音声データを受信した補聴器３００Ｂは、音声データを音声として出力する。
【００２７】
その後、利用者による補聴器選択ボタン１７０または２４０が操作され、Ａボタン１７１または２４１が選択されると、上述した補聴器選択動作手順にしたがって、補聴器３００Ａ（キーコード：３００Ａ）を特定する（Ｓ２２０）。
制御部１９０は、３００Ｂ送信表示を終了させる（Ｓ２３０）とともに、音声信号を補聴器３００Ａに送信することを知らせる３００Ａ送信表示を表示部１３０に表示させる（Ｓ２４０）。
送信制御部１９１は、既に確立されたリンク７００ｂを切断する切断信号を補聴器３００Ｂに送信し、リンク７００ｂを切断する（Ｓ２５０）。
この切断信号を受信した補聴器３００Ｂは、音声出力を停止する。
【００２８】
そして、送信制御部１９１は、上述したＳ１８０〜Ｓ２１０と同様に、送信先であるキーコード３００Ａである補聴器３００Ａとリンク７００ａを確立し（Ｓ２５０〜Ｓ２９０）、通話における音声信号を無線回線で送信可能な音声データに変換して、この音声データを補聴器３００Ａに送信する（Ｓ３００）。
この音声データを受信した補聴器３００Ａは、音声データを音声として出力する。
【００２９】
なお、さらに、その後、利用者による補聴器選択ボタン１７０または２４０が操作され、Ｂボタン１７２または２４２が選択されると、上述した補聴器選択動作手順にしたがって、補聴器３００Ｂ（キーコード：３００Ｂ）を特定し、Ｓ２５０と同様に、既に確立されたリンク７００ａを切断し、Ｓ１７０〜Ｓ２１０と同じ動作手順により補聴器３００Ｂに音声信号を送信する。この音声データを受信した補聴器３００Ｂは、音声データを音声として出力する。
【００３０】
電話機本体１００において、受話器２００を用いてオンフックされる（Ｓ３１０）と、制御部１９０は、電話操作入力部１２０によりこのオンフックを検出し、３００Ａ送信表示を終了させる（Ｓ３２０）。そして、制御部１９０は、リンク確立された補聴器、例えば補聴器３００Ａに切断信号を送信（Ｓ３２０）し、電話回線５００を介して電話網４００に終了通知を行う（Ｓ３４０）。電話網４００にこの終了通知を通知すると、電話網４００と電話機本体１００の間に通話路が切断され、電話装置１はアイドル（待機）状態となる。
【００３１】
以上のように、本発明にかかる電話装置１によれば、利用者による補聴器の選択に応じて特定の補聴器のみに音声を送信するので、補聴器利用者は違和感を感じることなく、通話を行うことができる。
なお、上述した実施の形態では、着信動作を例に説明したが、発信動作においても、送信制御部１９１は同様に動作する。
また、上述した実施の形態では、カールコード６００によって電話機本体１００と受話器２００とが接続されているとしたが、コードレスによって接続されているとしてもよい。
【００３２】
また、上述した実施の形態では、送信制御部１９１は１台の補聴器に送信するとしたが、例えば３者間通話等のように、複数の補聴器に送信するようにしてもよい。
また、上述した実施の形態では、補聴器を受信機の一例として用いたが、補聴器限定されるものではない。    
【図面の簡単な説明】
【００３３】
【図１】本発明の実施の形態にかかる電話装置の構成を示すブロック図である。
【図２】切替テーブルが記憶するデータのデータ構造の一例を示す図である。
【図３】補聴器選択動作手順を示すフローチャートである。
【図４】本実施の形態における電話装置の着信動作手順を示すシーケンス図である。
【符号の説明】
【００３４】
１００…電話機本体、１１０…電話網Ｉ／Ｆ、１２０…電話操作入力部、１３０…表示部、１４０…電源部、１５０…受話器Ｉ／Ｆ、１６０…無線Ｉ／Ｆ、１７０…補聴器選択ボタン、１８０…記憶部、１９０…制御部、１９１…送信制御部、２００…受話器、２１０…マイク、２３０…受話器Ｉ／Ｆ、２４０…補聴器選択ボタン、２５０…制御部、３００Ａ、Ｂ…補聴器、３１０…無線Ｉ／Ｆ、３２０…増幅器、３３０…スピーカ、４００…電話網、５００…電話回線、６００…カールコード、７００…無線回線、７００ａ、ｂ…リンク。
【図１】
0004462209.tif 000002
【図２】
0004462209.tif 000003
【図３】
0004462209.tif 000004
【図４】
0004462209.tif 000005